(57)【要約】【課題】上皿部分の遊技球貯留量を増加させるとともに、セルや板バネを用いて不正に賞球を得る行為を抑制し、そのうえで発射装置や発射レール等のメンテナンスに支障を来すことのない弾球遊技機を提供する。【解決手段】上受け皿ユニット２０を機枠１１に開閉不可能に固着し、上受け皿ユニット２０の上方には遊技領域６１を保護するための複層ガラス１３を支持するガラス枠１４を備える前面枠ユニット１２を、上受け皿ユニット２０の下方には下受け皿ユニット４０を夫々一辺をヒンジ等を用いて機枠１１に開閉可能に止着し、上受け皿ユニット２０の裏面側には球通路部２２を遊技球Ｂを貯留可能に設け、下受け皿ユニット４０の裏側には発射レール３５ｄ、発射杵３５ｃ、ロータリーソレノイド３５ｂ等からなる発射装置３５を設ける。【選択図】図５
2004201986.tif 000002
【特許請求の範囲】
【請求項１】
外周を画定する機枠の表側に、
該機枠の上部を覆う前面枠ユニットと、
該前面枠ユニットの下方に下受け皿ユニットと、
を夫々開閉可能に設け、
前記前面枠ユニットと下受け皿ユニットの間に上受け皿ユニットを開閉不可能に前記機枠に固着し、
払出装置から前記上受け皿ユニットに至る通路内を遊技球の貯留空間とすることを特徴とする弾球遊技機。
【請求項２】
請求項１に記載の弾球遊技機において、
前記下受け皿ユニットの裏側に発射装置及び発射レールを設けることを特徴とする弾球遊技機。
【請求項３】
請求項１に記載の弾球遊技機において、
前記上受け皿ユニットを分割し、その一部を前記機枠に開閉不可能に止着し、
他の部分を前記前面枠ユニットに設けることを特徴とする弾球遊技機。
【請求項４】
請求項３に記載の弾球遊技機において、前記一部を上皿カバー部とし、前記前面枠ユニットと前記上皿カバー部とを一体的に成型し、内枠又は機枠に開閉可能に設けることを特徴とする弾球遊技機。
【発明の詳細な説明】
【０００１】
【発明の属する技術分野】
この発明は弾球遊技機に関し、より詳しくは上皿と下皿の構造に特徴を有する弾球遊技機に関する。
【０００２】
【従来の技術】
弾球遊技機の上受け皿ユニットの裏側には発射装置や発射レールが設けられており、発射装置内の掃除、発射レールの歪みの調整等といったメンテナンスを行う必要があることから、一端を軸として開閉可能に設けられている。
【０００３】
次の特許文献１〜２を挙げる。
【特許文献１】特開平８−２０６３２１
開閉パネルの表側に上皿と下皿とを一体的に設けて、開閉可能な構成とし、開閉パネルの表側に上皿と下皿を結ぶ前面球流下路を設けることで、前面パネルの裏面に上皿と下皿を連通する流路を形成する必要がなくなる。故に弾球遊技機の裏機構の構造を簡素化することができる。
【特許文献２】特開平８−２０６３２２
開閉パネルの表側に上皿と下皿とを一体的に設けて、開閉可能な構成とし、開閉パネルの裏面側に上皿と下皿とを連通する裏面球流下路と、上皿に遊技球が満杯になると球をオーバーフローさせるオーバーフロー機構とを設け、オーバーフロー機構から延設したオーバーフロー流路を裏面球流下路に合流させた。故に弾球遊技機の裏機構の構造を簡素化することができる。
【０００４】
しかしながら上受け皿ユニットを開閉可能とすることでメンテナンスは可能となるものの、払出装置から上受け皿ユニットへ至る通路内は、開放する際に遊技球がこぼれてしまい遊技者に損害を与えるため、遊技球の貯留スペースとして利用することができない。そのため上受け皿ユニットの貯留量が少なく、遊技者自らが球箱又は下受け皿ユニットから上受け皿ユニットへと遊技球を移す頻度が多かった。
また、上受け皿ユニットが開閉できるように構成されているため、上受け皿ユニットを手前に引っ張ることで歪みが生じ、歪みによって生じた隙間からセルや板バネを挿入し、不正に賞球を得る所謂ゴト行為が容易に可能であった。
【０００５】
【発明が解決しようとする課題】
そこで本発明は、前述した問題点に鑑み提案されるもので、上受け皿への遊技球貯留量を増加させるとともに、セルや板バネを用いて不正に賞球を得る行為を抑制し、そのうえで発射装置や発射レール等のメンテナンスに支障を来すことのない弾球遊技機を提供する。
【０００６】
【課題を解決するための手段及び効果】
上記の課題を解決するために請求項１に記載の弾球遊技機は、外周を画定する機枠の表側に、該機枠の上部を覆う前面枠ユニットと、該前面枠ユニットの下方に下受け皿ユニットと、を夫々開閉可能に設け、前記前面枠ユニットと下受け皿ユニットの間に上受け皿ユニットを開閉不可能に前記機枠に固着し、払出装置から前記上受け皿ユニットに至る通路内を遊技球の貯留空間とすることを特徴とする。
これにより、上受け皿ユニットを開閉不可能とし、払出装置から上受け皿ユニットに至る通路内を遊技球の貯留スペースとして利用することによって貯留量を飛躍的に増加させることができる。上受け皿ユニットの貯留量が増加することにより、球箱又は下受け皿ユニットから上受け皿ユニットへの遊技球の移動にかかる労力が軽減され、遊技者の注目を遊技内容に集中させることができる。
ここで、遊技球を貯留できる貯留空間とは、上皿での溢れ球が下皿へと導かれる球通路の位置をどの位置に設けるかに深く関連し、基本的には上皿での溢れ球が下皿へと導かれる球通路を設ける所までを上皿の貯留空間とすることができる。
そのため、例えば払出装置が正回転することによって上皿へ、逆回転することによって下皿へと遊技球を払出す能力があれば、払出装置から上皿へ至る間（球通路）のほぼ全てを上皿の貯留空間とすることができる。
【０００７】
請求項２に記載の発明は、請求項１に記載の弾球遊技機において、前記下受け皿ユニットの裏側に発射装置及び発射レールを設けることを特徴とする。
通常上受け皿ユニットの裏側に配置されている発射装置及び発射レールを下受け皿ユニットの裏側に設け、下受け皿ユニットを開閉できるように構成することにより、従来通り発射装置内の掃除、発射レールの歪みの調整などを行うことができる。
【０００８】
請求項３に記載の発明は、請求項１に記載の弾球遊技機において、前記上受け皿ユニットを分割し、その一部を前記機枠に開閉不可能に止着し、他の部分を前記前面枠ユニットに設けることを特徴とする。
たとえば、前記上受け皿ユニットの遊技球を貯留する球皿部と、該球皿部の周囲及び遊技機内部を覆う上皿カバー部とを夫々別体に設け、該球皿部を前記機枠に開閉不可能に止着し、前記上皿カバー部を開閉可能に設ける、球皿部を開閉不可能な構成とすることによって上受け皿ユニットが開閉不可能な構成とすることが挙げられる。
【０００９】
請求項４に記載の発明は、請求項３に記載の弾球遊技機において、前記一部を上皿カバー部とし、前記前面枠ユニットと前記上皿カバー部とを一体的に成型し、内枠又は機枠に開閉可能に設けることを特徴とする。
前面枠ユニットと上皿カバー部を一体的に成型することによって、前面枠ユニットと上受け皿ユニットの継ぎ目を無くすことができ、デザインの面で効果を奏する。
【００１０】
以上記載の本発明は、弾球遊技機の裏機構の構造の簡素化を目的とする特許文献１及び特許文献２に対して、上皿を開閉不可能とすることによる不正行為の抑制、上皿部分における遊技球の貯留量の増加を目的としている点で異なる。
【００１１】
【発明の実施の形態】
以下に、本発明の好適な実施形態について図面を参照して説明する。尚、本発明の実施の形態は、下記の実施形態に何ら限定されるものではなく、本発明の技術的範囲に属する限り種々の形態を採り得ることは無論である。
【００１２】
本発明の実施形態１の弾球遊技機１０は、図１〜図８に示す通り、外周を画定する機枠１１、機枠１１の上部開口を開閉可能な前面枠ユニット１２、前面枠ユニット１２の下方にある上受け皿ユニット２０、遊技球の発射を行う発射ハンドル部３０、上受け皿ユニット２０の下方にある下受け皿ユニット４０、機枠１１の内側に取り付けられる内枠ユニット５０、内枠ユニット５０に取り付けられる遊技盤６０、内枠ユニット５０の背面に取り付けられる払出装置ユニット７０、内枠ユニット５０の裏側下方に取り付けられる基板ケースユニット８０からなる。前面枠ユニット１２は機枠１１に軸支される構成としているが、内枠５０が機枠１１に軸支される構成であれば内枠５０に軸支される構成としていもよい。図１に示す通り、前後が開放した額縁状の機枠１１の表面側に、上部から上受け皿ユニット２０、発射ハンドル部３０、下受け皿ユニット４０を取り付けている。発射ハンドル部３０は上受け皿ユニット２０の下方右側に、下受け皿ユニット４０は上受け皿ユニット２０の下方左側に夫々隣接して取り付けられている。前面枠ユニット１２及び下受け皿ユニット４０は左辺を支軸にヒンジ機構等で機枠１１の一側に開閉可能に取り付けられているが、内枠５０でもよい。上受け皿ユニット２０及び発射ハンドル部３０は開閉不可能に機枠１１に取り付けられている。
前面枠ユニット１２の裏側には、内枠ユニット５０が機枠１１の内側に取り付けられており、内枠ユニット５０には遊技盤６０が前面から挿入されて取り付けられている。内枠ユニット５０の裏面の右側辺には払出装置ユニット７０が、下部には基板ケースユニット８０が夫々取り付けられている。以下、各要素を説明する。
【００１３】
図４及び図６に示す通り、前面枠ユニット１２の裏面側上部に情報表示基板１６ａ，１６ｂを止着し、さらに前面枠ユニット１２の裏面側の左右両端夫々にＬ字型の補強板金１７ａ，１７ｂを止着し、前面枠ユニット１２の強度を強め、機枠１１にヒンジ機構等を用いて開閉可能に止着している。前面枠ユニット１２の中央開口部には遊技盤６０を保護する複層ガラス１３を支持するガラス枠１４が裏面側から取り付けられている。
【００１４】
上受け皿ユニット２０は、図３〜図５、図８、図９に示す通り、払出装置７２から払出された遊技球Ｂを貯留する球皿２１、払出装置７２と球皿２１とを連通するたとえば皿状の球通路部２２及び払出装置ユニット７０内の下球通路７３、球皿２１から溢れた遊技球Ｂを下受け皿ユニット４０に流下させ、下球通路７３に設けた球抜装置（図示略）、を備え、遊技者が投入した球や賞球など遊技に供する球を貯留している。上受け皿ユニット２０は機枠１１の前面部に固定されて開閉不可能な構成となっているため、球通路部２２及び下球通路７３に遊技球Ｂを貯留することが可能となっている。
【００１５】
図１〜図５、図７に示す通り、発射ハンドル部３０は、発射ハンドル３１、ハンドルカバー３２、補強板金であるロック３３からなり、発射ハンドル３１をハンドルカバー３２の中央部に設けられた貫通穴３２ａに回動可能に嵌合して、機枠１１の下部右側に取り付け、ハンドルカバー３２の裏面側に補強板金であるロック３３を取り付けて補強している。
【００１６】
図２は前面枠ユニット１２及び下受け皿ユニット４０を開放した弾球遊技機を示し、前面枠ユニット１２の裏側には内枠ユニット５０及び内枠ユニット５０に装着される遊技盤６０が設けられている。下受け皿ユニット４０の裏側には発射装置３５が設けられている。この発射装置３５は基板３５ａに駆動源であるロータリーソレノイド３５ｂ、発射杵３５ｃ、発射レール３５ｄ、及び発射杵用ストッパ３５ｅ，３５ｆなどを取り付けてユニット化したものである。
【００１７】
また図２に示す通り、遊技領域６１内には発射装置３５から発射された遊技球Ｂを遊技領域６１内に案内するために外側ガイドレール３６ａと内側ガイドレール３６ｂを遊技球Ｂが通過可能な間隔を空けて円弧状に止着し、これにより遊技盤６０の下端略中央から円弧状に上昇して上端が遊技領域６１に連通する打球案内流路３７を形成してある。外側ガイドレール３６ａの下端にはファール球回収機構３８が設けられており、打球案内流路３７を逆流してくる遊技球Ｂが発射装置３５まで流下しないように、逆流した遊技球Ｂをファール球回収路３９へと誘導している。
【００１８】
図４、５及び図７に示す通り、下受け皿ユニット４０は、機枠１１の一辺（ここでは左辺）に軸支されるものであり、上受け皿ユニット２０の球貯留部から溢れた遊技球Ｂを貯留する球皿４１、球を排出する球出口４２、球皿４１から溢れた遊技球Ｂを球箱に流下させる球抜装置（図示略）、灰皿４４、ファール球回収路３９を流下した遊技球Ｂを球皿４１へと誘導するファール球入口４６、上受け皿ユニット２０の球皿２１と下受け皿ユニット４０の球皿４１とを連通し上受け皿ユニット２０の球皿２１から遊技球を下受け皿ユニット４０の球皿４１へと誘導する前記球抜装置（図示略）と接続する連絡樋４７、下受け皿ユニット４０を機枠１１にロックするロック装置４８と、から構成されている。下受け皿ユニット４０の裏面において、球出口４２にファール球入口４６、連絡樋４７が併設され、球出口４２へと連通している。
【００１９】
図８，図９に示す通り、内枠ユニット５０の裏面側には、島設備（図示略）から流下した遊技球Ｂを貯留し、払出装置ユニット７０へと流下させるタンクレールユニット５１、賞球を流下する賞球通路５２、遊技盤６０の裏面を保護する裏カバー５３、左側辺には内枠５０に取り付けられ前面枠ユニット１２と機枠１１とをロックするロック装置５４、内枠用情報表示基板５６、賞球を払出し賞球通路５２へ賞球を流下させて上受け皿ユニット２０へ供給する払出装置ユニット７０、及び、各種基板を収容する基板ケースユニット８０を備えている。内枠ユニット５０は遊技盤６０用の貫通孔５７が形成されている。内枠５０の下部に発射装置３５の取付孔５８，５９が形成されている。
【００２０】
図８に示す通り、遊技盤６０は前面側に遊技領域６１を備え、裏面側に主基板６２、図柄制御基板６３、音ランプ基板６４、遊技盤側の情報をホールコンピュータ（図示略）へと送信するための盤用情報表示基板６５等を取り付け、内枠ユニット５０に設けられた額縁状の開放部に嵌込むことで取り付けるものである。前面側の遊技領域６１は前面枠ユニット１２の複層ガラス１３によって保護されている。アウト口６６はアウト球を排出するものである。
【００２１】
図８に示す通り、払出装置ユニット７０はケースレール球有り検知装置（図示略）を設けた上球通路７１、払出装置計数検知装置を備えた払出装置７２、下球通路７３からなる。これらは縦に連結し、縦長の直方体の払出装置ユニット７０を形成している。上球通路７１と下球通路７３の内部の球通路は屈曲路となっており、遊技球Ｂを下方に誘導している。下球通路７３は払い出された遊技球を貯留する機能を備えている。
【００２２】
図８に示す通り、基板ケースユニット８０は内枠５０の下部に取り付けられるものであり、賞球発射制御基板８１ａを収容する基板ケース８１、電源基板８２ａを収容する基板ケース８２からなり、夫々ベース８３に取り付けられている。ベース８３と基板ケース８１、８２の間には、遊技球Ｂが通過できる幅の球流下スペース８４を備えている。
【００２３】
以上の第１実施例の弾球遊技機は、上受け皿ユニット２０を開閉不可能な構成とし、払出装置７２から上受け皿ユニット２０へ至る球通路部２２及び下球通路７３内を遊技球Ｂの貯留スペースとして利用することで、上受け皿ユニット２０の球皿２１の貯留量を飛躍的に増加させる効果を発揮する。また遊技球の貯留量が増加することにより、球箱又は下受け皿ユニット４０から上受け皿ユニット２０への遊技球Ｂの移動にかかる労力が軽減され、遊技者の注目を遊技内容に集中させる効果を発揮する。
【００２４】
発射装置３５及び発射レール３５ｄを下受け皿ユニット４０の裏面に設け、下受け皿ユニット４０を開閉可能な構成とすることで、従来ならば上受け皿ユニット２０を開放しなければできなかった発射装置３５の掃除や、発射レール３５ｄの歪みの調整などを、上受け皿ユニット２０を開放することなく行うことが可能である。
【００２５】
図１０〜図１４は実施形態２の弾球遊技機１１０を示すものである。この弾球遊技機１１０の部品番号は、実施形態１の弾球遊技機１０に対応する部品を１００番台として図示し、共通部分についての説明は実施形態１のものを援用し、主として異なる構成について説明する。
【００２６】
図１０、図１１に示す弾球遊技機１１０において、上受け皿部分を、上受け皿ユニット１２０と、上皿カバー部１２４とに分割し別体に設けてある。上受け皿ユニット１２０は図１０、図１１にて図示しない内枠５０に固定されている。上皿カバー部１２４は前面枠ユニット１１２の下部に一体的に形成されたものである。上皿カバー部１２４は、内枠５０側に設けた上受け皿ユニット１２０の球皿１２１の周囲を包み込むような形状であり、上皿カバー部１２４を含む前面枠ユニット１１２が機枠１１１に対して閉じている時は空洞部１２４ａに球皿１２１が収まるように構成されている。
ここで空洞部１２４ａとは、例えば上皿カバー部１２４において球皿１２１を嵌合わせる刳貫穴及び球皿１２１の底部を支持する底板からなる等、空洞を備えた部材である。
【００２７】
図１１に示す弾球遊技機１１０の前面枠ユニット１１２は上皿カバー部１２４と一体的に成型されているため、実施形態１の前面枠ユニット１２と比べて縦方向に長くなっている。そのため、前面枠ユニット１１２裏面側に固着された補強板金１１７ａ，１１７ｂも上皿カバー部１２４の分だけ長くなっている。
【００２８】
図１３に示す上受け皿ユニット１２０は、球皿１２１と、上皿カバー部１２４とに分離され、球皿１２１は、図１３に示す通り機枠１１１に固着している。上皿カバー部１２４は前面枠ユニット１１２と一体的に成型されている。そのため実施形態１と比較して、前面枠ユニット１１２を開放したときの開放領域が広い。故に遊技盤の交換などが容易になるという効果を発揮する。
【００２９】
図１４に示す通り、前面枠ユニット１１２は上皿カバー部１２４と一体的に成型され、縦に長い構成となっている。前面枠ユニット１１２の裏面側の上部にスピーカ１１５ａ，１１５ｂと、情報表示基板１１６ａ，１１６ｂを止着し、さらに前面枠ユニット１１２及び上皿カバー部１２４の裏面側の左右両端夫々にＬ字型の補強板金１１７ａ，１１７ｂを止着し、前面枠ユニット１１２の強度を強めている。上皿カバー部１２４には賞球数を表示するための精算表示基板１１８が、裏面側から取り付けられる。
【００３０】
実施形態２の弾球遊技機１１０は、前面枠ユニット１１２と上皿カバー部１２４とが一体的に成型されているため開閉可能であるものの、球皿１２１が開閉不可能な構成となっているので、第１実施例の弾球遊技機１０と同様の効果を発揮する。さらに、前面枠ユニット１１２と上皿カバー部１２４とが一体的に成型されているため、前面枠ユニット１１２と上皿カバー部１２４との間の継ぎ目を無くすことができるため、デザインの面でも優れた効果を発揮する。また、球皿１２１が内枠５０に固定されていることで、セルや板バネを利用したゴト行為を防止する効果を発揮する。
【００３１】
尚、本発明の実施の形態は、上述の実施形態に何ら限定されるものではなく、本発明の技術的範囲に属する限り種々の形態を採り得る。たとえば、下受け皿ユニット４０は、機枠１１に軸支する構成であるが、内枠５０に軸支されてもよい。
【図面の簡単な説明】
【図１】実施形態１における弾球遊技機１０の正面図である。
【図２】実施形態１における弾球遊技機１０の前面枠ユニット１２及び下受け皿ユニット４０を開放した状態の正面図である。
【図３】実施形態１における弾球遊技機１０の外観斜視図である。
【図４】実施形態１における弾球遊技機１０の前面枠ユニット１２を開放した状態の外観斜視図である。
【図５】実施形態１における弾球遊技機１０の前面枠ユニット１２及び下受け皿ユニット４０を開放した状態の外観斜視図である。
【図６】実施形態１の弾球遊技機１０の前面枠ユニット１２に設けられる部品図である。
【図７】下受け皿ユニット４０及び発射ハンドル３１部分の部品図である。
【図８】内枠ユニット５０、遊技盤６０、払出装置ユニット７０、基板ケースユニット８０について示した部品図である。
【図９】実施形態１の弾球遊技機１０の裏面の斜視図である。
【図１０】第２施形態の弾球遊技機１１０の外観斜視図である。
【図１１】実施形態２の弾球遊技機１１０の前面枠ユニット１１２を開放した状態の外観斜視図である。
【図１２】実施形態２の弾球遊技機１１０の下受け皿ユニット１４０を開放した状態の外観斜視図である。
【図１３】実施形態２の弾球遊技機１１０の前面枠ユニット１１２及び下受け皿ユニット１４０を開放した状態の外観斜視図である。
【図１４】実施形態２の弾球遊技機１１０の前面枠ユニット１１２に設けられる部品図である。
【符号の説明】
１０…弾球遊技機    １１…機枠    １２…前面枠ユニット
１３…複層ガラス    １４…ガラス枠    １５ａ，ｂ…スピーカ
１６ａ，ｂ…情報表示基板    １７ａ，ｂ…補強板金    ２０…上受け皿ユニット
２１…球皿    ２２…球通路部    ２４…上皿カバー部    ２４ａ…空洞部
３０…発射ハンドル部    ３１…発射ハンドル    ３２…ハンドルカバー
３２ａ…貫通穴    ３３…補強板金であるロック    ３５…発射装置
３５ａ…基板    ３５ｂ…ロータリーソレノイド    ３５ｃ…発射杵
３５ｄ…発射レール    ３５ｅ，ｆ…ストッパ    ３６ａ…外側ガイドレール
３６ｂ…内側ガイドレール    ３７…打球案内流路    ３８…ファール球回収機構
３９…ファール球回収路    ４０…下受け皿ユニット
４１…球皿    ４２…球出口    ４４…灰皿    ４６…ファール球入口
４７…連絡樋    ５０…内枠ユニット    ５１…タンクレールユニット
５２…賞球通路    ５３…裏カバー    ５４…ロック装置
５６…内枠用情報表示基板    ６０…遊技盤    ６１…遊技領域
６２…主基板    ６３…図柄制御基板    ６４…音ランプ基板
６５…盤用情報表示基板    ７０…払出装置ユニット
７１…上球通路    ７２…払出装置
７３…下球通路    ８０…基板ケースユニット
８１…賞球発射制御を収容する基板ケース    ８２…電源基板を収容する基板ケース
８３…ベース    ８４…球流下スペース    Ｂ…遊技球
【図１】
2004201986.tif 000003
【図２】
2004201986.tif 000004
【図３】
2004201986.tif 000005
【図４】
2004201986.tif 000006
【図５】
2004201986.tif 000007
【図６】
2004201986.tif 000008
【図７】
2004201986.tif 000009
【図８】
2004201986.tif 000010
【図９】
2004201986.tif 000011
【図１０】
2004201986.tif 000012
【図１１】
2004201986.tif 000013
【図１２】
2004201986.tif 000014
【図１３】
2004201986.tif 000015
【図１４】
2004201986.tif 000016